(57)【要約】【目的】粗骨材に対してバインダ量が少ないポーラスコンクリート組成物を良好に連続成型することのできる移動型枠の提供。【構成】横断面形状が同一のコンクリート構造物を連続成型する移動型枠であり、相対向する左右一対の側板２Ａと上面を成す天板２Ｂとを具備する成型部２と、該成型部の前端に連なる受枠部３と、該受枠部の上端に連なって成型部２に供給するための生コンクリートを外部から受け入れるホッパ部５とを有する。ホッパ部５はバイブレータ７により振動される振動枠８とされると共に、該振動枠の内側が仕切部材９により複数の領域１０に区分され、その各領域１０が生コンクリートを通過させる所定長の流路とされる。これにより、生コンクリートにポーラスコンクリート組成物を用いても、その全体に振動を伝播せしめて良好に成型することができる。【選択図】図１
2006233698.tif 000002
【特許請求の範囲】
【請求項１】
横断面形状が同一のコンクリート構造物を連続成型する移動型枠であり、相対向する左右一対の側板と上面を成す天板とを具備する成型部と、該成型部の前端に連なる受枠部と、該受枠部の上端に連なって前記成型部に供給するための生コンクリートを外部から受け入れるホッパ部とを有し、該ホッパ部の全体又は一部分若しくは前記成型部の前端部分が起振手段により振動される振動枠とされると共に、該振動枠の内側が仕切部材により複数の領域に区分され、その各領域が生コンクリートを通過させる所定長の流路とされていることを特徴とする移動型枠。
【請求項２】
相対向する左右一対の側板と上面を成す天板とを具備する成型部と、該成型部の前端に連なる受枠部と、該受枠部の上端に連なって前記成型部に供給するための生コンクリートを外部から受け入れるホッパ部とを有し、該ホッパ部の全体又は一部分若しくは前記成型部の前端部分が起振手段により振動される振動枠とされると共に、該振動枠の内側が仕切部材により複数の領域に区分され、その各領域が生コンクリートを通過させる所定長の流路とされている移動型枠を用い、該移動型枠を前記成型部に対し前記受枠部が先行する状態でコンクリート構造物を構築する経路に沿って移動させながら前記振動枠を振動させると共に、前記ホッパ部に生コンクリートとして粗骨材の表面をセメントペースト又はモルタルにより被覆したポーラスコンクリート組成物を導入し、このポーラスコンクリート組成物を前記振動枠内の各領域を通じて受枠部側から成型部側に導入することにより、前記移動型枠の移動経路に沿って横断面形状が同一のコンクリート構造物を連続成型することを特徴とするコンクリート構造物の構築工法。
【請求項３】
相対向する左右一対の側板と上面を成す天板とを具備する成型部と、該成型部の前端に連なる受枠部と、該受枠部の上端に連なって前記成型部に供給するための生コンクリートを外部から受け入れるホッパ部とを有し、該ホッパ部の全体又は一部分若しくは前記成型部の前端部分が起振手段により振動される振動枠とされると共に、該振動枠の内側が仕切部材により複数の領域に区分され、その各領域が生コンクリートを通過させる所定長の流路とされている移動型枠を用い、該移動型枠を前記成型部に対し前記受枠部が先行する状態で表面が平滑とされる床面部に沿って移動させながら前記振動枠を振動させると共に、前記ホッパ部に生コンクリートとして粗骨材の表面をセメントペースト又はモルタルにより被覆したポーラスコンクリート組成物を導入し、このポーラスコンクリート組成物を前記振動枠内の各領域を通じて受枠部側から成型部側に導入することにより、前記移動型枠の移動経路に沿って横断面形状が同一のコンクリート構造物を連続成型し、これを養生して連続空孔を有する長尺なコンクリート固化体とした後、その固化体を所定の長さ毎に分断することを特徴とするコンクリート製品の製造方法。
【発明の詳細な説明】
【技術分野】
【０００１】
本発明はポーラスコンクリートの連続成型に適する移動型枠と、これを用いたコンクリート構造物の構築工法及びコンクリート製品の製造方法に関する。
【背景技術】
【０００２】
道路などに沿って一連に形成される側溝その他のコンクリート構造物は、プレキャストコンクリートを用いるか、又はコンクリートの現場打ちにより構築されるが、コンクリートの現場打ちでは、型枠の組み立てや解体に多くの時間や労力を要するという欠点があった。そこで、近年では現場で型枠を組み立てることなく側溝その他の長尺なコンクリート構造物を構築することのできる工法が一般に広く普及している（例えば、特許文献１）。
【０００３】
その工法は、所定の内部形状を有する型枠（モールド）を専用車両に取り付け、その型枠内に生コンクリートを供給しながら、同型枠を車両の徐行を以て道路などの施工面に沿って移動させ、これによって型枠の移動方向に横断面形状が同一のコンクリート構造物を一連に構築するというものである。
【０００４】
【特許文献１】特願平１０−１４４６６２号（特開平１１−３３６０１５号公報）
【発明の開示】
【発明が解決しようとする課題】
【０００５】
然し乍ら、特許文献１の工法は従前のコンクリート現場打ちに比べ効率を大幅に向上できるなど多くの利点を有するものの、車両が進入できないような狭い場所や障害物の多い場所では施工することができず、しかも施工区間が短い場合にはプレキャストコンクリートによる施工よりもコスト高になってしまう場合があり、そのような場合にはプレキャストコンクリートの利用に頼らざるを得ないという実情にある。
【０００６】
ここに、プレキャストコンクリートは、上記のような欠点を補うことのできる有用な部材であるが、これは個々の製品毎に型合わせや脱型を必要とするので、生産性を上げられないなどの問題を抱えている。
【０００７】
そこで、特許文献１に記載されるような方法を利用して、横断面形状が同一のプレキャストコンクリートを生産する技術（特開２００４−１８８８９３）を確立したが、これは普通コンクリートに適するものの、粗骨材にしてセメントペーストやモルタルから成るバインダの混合量が少ないポーラスコンクリートでは成型が難しく、振動による締め固めを行っても未固化のポーラスコンクリート組成物全体に振動が伝播せず、各粗骨材の表面にバインダが良好に行き渡らないために十分な強度も得られないという問題があった。
【０００８】
本発明は以上のような事情に鑑みて成されたものであり、その目的は生コンクリートにポーラスコンクリート組成物を用いた場合でもこれを良好に連続成型することのできる移動型枠と、これを用いたコンクリート構造物の構築工法及びコンクリート製品の製造方法を提供することにある。
【課題を解決するための手段】
【０００９】
本発明は上記目的を達成するため、横断面形状が同一のコンクリート構造物を連続成型する移動型枠であり、相対向する左右一対の側板と上面を成す天板とを具備する成型部と、該成型部の前端に連なる受枠部と、該受枠部の上端に連なって前記成型部に供給するための生コンクリートを外部から受け入れるホッパ部とを有し、該ホッパ部の全体又は一部分若しくは前記成型部の前端部分が起振手段により振動される振動枠とされると共に、該振動枠の内側が仕切部材により複数の領域に区分され、その各領域が生コンクリートを通過させる所定長の流路とされていることを特徴とする。
【００１０】
又、本発明に係るコンクリート構造物の構築工法は、相対向する左右一対の側板と上面を成す天板とを具備する成型部と、該成型部の前端に連なる受枠部と、該受枠部の上端に連なって前記成型部に供給するための生コンクリートを外部から受け入れるホッパ部とを有し、該ホッパ部の全体又は一部分若しくは前記成型部の前端部分が起振手段により振動される振動枠とされると共に、該振動枠の内側が仕切部材により複数の領域に区分され、その各領域が生コンクリートを通過させる所定長の流路とされている移動型枠を用い、該移動型枠を前記成型部に対し前記受枠部が先行する状態でコンクリート構造物を構築する経路に沿って移動させながら前記振動枠を振動させると共に、前記ホッパ部に生コンクリートとして粗骨材の表面をセメントペースト又はモルタルにより被覆したポーラスコンクリート組成物を導入し、このポーラスコンクリート組成物を前記振動枠内の各領域を通じて受枠部側から成型部側に導入することにより、前記移動型枠の移動経路に沿って横断面形状が同一のコンクリート構造物を連続成型することを特徴とする。
【００１１】
更に、本発明に係るコンクリート製品の製造方法は、相対向する左右一対の側板と上面を成す天板とを具備する成型部と、該成型部の前端に連なる受枠部と、該受枠部の上端に連なって前記成型部に供給するための生コンクリートを外部から受け入れるホッパ部とを有し、該ホッパ部の全体又は一部分若しくは前記成型部の前端部分が起振手段により振動される振動枠とされると共に、該振動枠の内側が仕切部材により複数の領域に区分され、その各領域が生コンクリートを通過させる所定長の流路とされている移動型枠を用い、該移動型枠を前記成型部に対し前記受枠部が先行する状態で表面が平滑とされる床面部に沿って移動させながら前記振動枠を振動させると共に、前記ホッパ部に生コンクリートとして粗骨材の表面をセメントペースト又はモルタルにより被覆したポーラスコンクリート組成物を導入し、このポーラスコンクリート組成物を前記振動枠内の各領域を通じて受枠部側から成型部側に導入することにより、前記移動型枠の移動経路に沿って横断面形状が同一のコンクリート構造物を連続成型し、これを養生して連続空孔を有する長尺なコンクリート固化体とした後、その固化体を所定の長さ毎に分断することを特徴とする。
【発明の効果】
【００１２】
本発明に係る移動型枠によれば、ホッパ部の全体又は一部分若しくは成型部の前端部分が起振手段により振動される振動枠とされ、該振動枠の内側が仕切部材により複数の領域に区分され、その各領域が生コンクリートを通過させる所定長の流路とされていることから、粗骨材に対してセメントペーストやモルタルから成るバインダの混合量が少ないポーラスコンクリート組成物でもその全体に振動を伝播せしめて良好に成型でき、しかも粗骨材の表面にバインダが良好に行き渡るので粗骨材同士をバインダで堅固に結合して高強度のコンクリート構造物を得ることができる。
【００１３】
又、本発明に係るコンクリート構造物の構築工法によれば、以上のような移動型枠を用いてポーラスコンクリート組成物を連続成型するので、多孔質にして高強度のコンクリート構造物を容易に構築することができる。
【００１４】
更に、本発明に係るコンクリート製品の製造方法も、以上のような移動型枠を用いてポーラスコンクリート組成物を連続成型するので、多孔質にして高強度のコンクリート製品を効率よく製造することができる。
【発明を実施するための最良の形態】
【００１５】
以下、本発明を図面に基づいて詳しく説明する。図１は本発明に係る移動型枠Ｍを示す斜視概略図、図２は同側面図であり、図３には図２におけるＸ−Ｘ断面を示す。
【００１６】
図１、図２において、１は型本体であり、この型本体１は生コンクリートを所定形状に成型するための成型部２と、該成型部の前端に連なる受枠部３とで構成される。成型部２は相対向する左右一対の側板２Ａと上面を成す天板２Ｂとにより内部に所定形状の空間を形成するもので、その前後両端と下部は開放されている。
【００１７】
特に、成型部２はその前端（受枠部３側の一端）から後端に向かって内部形状（高さ及び幅）が漸次小さくなるよう設定され、これにより該成型部２内に導入された生コンクリートが圧縮されながら所定形状に連続成型されるようにしてある。これによれば、バインダの混合量が少ないポーラスコンクリート組成物でも粗骨材を密集させ、それら粗骨材を分離させずにバインダで確実に結合させることができるので、粗骨材同士の結合不良による強度低下を防止することができる。
【００１８】
一方、受枠部３は成型部の側板２Ａを前方に延長して形成されるもので、その上端にはシール性を有するゴムなどから成る振動絶縁部材４を介して筒状のホッパ部５が連設される。尚、本例において、受枠部３の前端はホッパ部５より導入される生コンクリートが流出せぬようホッパ部５より成型部２の逆側となる前方に突出して開放されるが、その前端を閉鎖して突出部分を省略してもよい。
【００１９】
ここで、ホッパ部５は型本体１内に生コンクリートを供給する部分であり、その上端は生コンクリートを外部から取り込むための受口６として開放される。特に、係るホッパ部５は、その全体が起振手段としてのバイブレータ７によって振動される振動枠８とされるが、係る振動枠８の振動が型本体１に伝播せぬよう振動枠８としてのホッパ部５は上記の振動絶縁部材４を介して受枠部３に連結される。
【００２０】
尚、バイブレータ７は公知のコンクリート振動機で、これは振動枠８を構成するホッパ部５の外壁面に取り付けられる。又、振動枠８の内側は仕切部材９により複数の領域１０に区分される。その各領域１０は、生コンクリートを通過させる所定長の流路とされるもので、各領域１０の長さはその口径より大きく、好ましくは口径の２〜５倍の長さに設定される。
【００２１】
図４から明らかなように、仕切部材９は板材９Ａを縦横に間を透かして格子状に組んだもので、その各板材９Ａにより囲まれる矩形の領域１０が縦横に網目状に配列する形態とされるが、係る仕切部材として板材９Ａを図５のように縦横のいずれか一方向に間を透かして設けてもよいし、係る仕切部材をハニカム構造（六角の網目構造）としてもよい。
【００２２】
要するに、各領域１０の形状に拘らず、振動枠８の内側が仕切部材９によって生コンクリートの通過を許容する複数の領域１０に細分化されていればよい。これによれば、振動枠８内の各領域１０に生コンクリートを分配し、各領域１０に導入された生コンクリートの表面のみならず内部まで振動を伝播させて全ての粗骨材の表面にバインダを良好に行き渡らすことができ、バインダの混合量が少ないポーラスコンクリート組成物でもこれを良好に成型して強靭なコンクリート構造物とすることができる。
【００２３】
ここで、以上のような移動型枠Ｍを用いたコンクリート構造物の構築工法について説明すれば、係る移動型枠Ｍは図示せぬ車両の側方に取り付けられ、その車両の徐行走行によってコンクリート構造物を構築するべく決められた経路（例えば、道路脇）に沿って移動される。特に、移動型枠Ｍは図６に示すよう成型部２に対して受枠部３が先行する方向に移動され、このときバイブレータ７の駆動を以って振動枠８としてのホッパ部５を振動させながら、そのホッパ部５に圧送管１１を通じて生コンクリート（ポーラスコンクリート組成物）の導入が行われる。
【００２４】
ポーラスコンクリート組成物は、粒径５ｍｍ以上の砂利や砕石といった粗骨材に、セメントペースト又はモルタルから成るバインダを加えて混練し、そのバインダによって粗骨材の表面を被覆したものであり、バインダの混合量は粗骨材に対し容積比で３０〜５０％に設定される。
【００２５】
係るポーラスコンクリート組成物は、振動枠８内の各領域１０に分流して受枠部３内に落下するが、振動枠８内の各領域１０を通過する間に各領域１０単位で個別に振動が与えられることにより、全ての粗骨材の表面にバインダが良好に行き渡り、各領域１０を通過したポーラスコンクリート組成物も外側の粗骨材同士がバインダ層を介して良好に結合する。
【００２６】
そして、受枠部３内に落下したポーラスコンクリート組成物は、移動型枠Ｍの移動により受枠部３側から先細りの成型部２側に導入され、その成型部２により徐々に圧縮されながら所定形状に連続成型される。しかして、移動型枠Ｍの移動経路には成型部２の後端における内部形状と同一にして、長さ方向に対し直角な横断面形状が同一のコンクリート構造物Ｃが連続的に構築される。
【００２７】
尚、係るコンクリート構造物Ｃは多孔質でありながら粗骨材同士がバインダにより良好に結合されるので強度が高く、しかも多孔質の長尺なコンクリート固化体となるので道路の中央分離帯や縁石にして騒音防止効果を得ることができる。
【００２８】
次に、上記のような移動型枠Ｍを用いて縁石その他のコンクリート製品（プレキャストコンクリート）を製造する方法について説明する。図７において、１２は移動型枠の移動経路に沿って予め設置される木板や金属板から成る長尺な敷板であり、その上部表面は平滑な床面部ｆとされる。そして、移動型枠Ｍはその床面部ｆに沿って敷板１２の長さ方向に移動されるが、係る工程は工場内などで行われるのであり、このため移動型枠Ｍを移動させる手段としては、これを上記のように車両に取り付けるほか、移動型枠Ｍの両側にその移動案内をする図示せぬレールを設けて天井ホイストなどで移動型枠Ｍを一定速度で牽引するなどの方法を採用することができる。
【００２９】
但し、本例においても移動型枠Ｍは図７に示すよう成型部２に対して受枠部３が先行する方向に移動されるのであり、このときバイブレータ７の駆動を以って振動枠８としてのホッパ部５を振動させながら、そのホッパ部５に圧送管１１を通じて生コンクリート（ポーラスコンクリート組成物）の導入が行われる。
【００３０】
上記のように、係るポーラスコンクリート組成物は、振動枠８内の各領域１０に分流して受枠部３内に落下するが、振動枠８内の各領域１０を通過する間に各領域１０単位で個別に振動が与えられることにより、全ての粗骨材の表面にバインダが良好に行き渡り、各領域１０を通過したポーラスコンクリート組成物も外側の粗骨材同士がバインダ層を介して良好に結合する。
【００３１】
そして、受枠部３内に落下したポーラスコンクリート組成物は、移動型枠Ｍの移動により受枠部３側から先細りの成型部２側に導入され、その成型部２により徐々に圧縮されながら所定形状に連続成型される。しかして、移動型枠Ｍの移動経路である床面部ｆ上には成型部２の後端における内部形状と同一にして、長さ方向に対し直角な横断面形状が同一のコンクリート構造物Ｃが連続成型されるので、これを養生して連続空孔を有する長尺なコンクリート固化体とした後、その固化体を所定の長さ毎に分断することにより所定長のコンクリート製品を得ることができる。
【００３２】
尚、コンクリート固化体の分断はコンクリートカッタを用いて行われるが、図７のように床面部ｆ上において、移動型枠Ｍの移動前にその移動方向に沿って予め所定の間隔で衝立１３を配しおき、これがコンクリート構造物Ｃ内に埋設されるようにすることが好ましく、これによってコンクリートカッタによる切断部分を少なくしながら衝立１３の位置でコンクリート固化体を容易に分断することができる。
【００３３】
因みに、衝立１３を配する場合に、受枠部の前端は衝立１３を飲み込み得るよう開放され、係る衝立１３は型本体１内の最小断面部分（成型部２の後端の内部形状）より若干小さく設定される。又、床面部ｆや衝立１３にはコンクリート固化体との分離を容易とするためパラフィンなどの剥離材を塗布しておくことが好ましい。
【００３４】
ここで、以上のようにして得られるコンクリート製品（ポーラスコンクリート製品）は、多孔質でありながら粗骨材同士がバインダにより良好に結合されるので強度が高く、しかも多孔質であるから、建築用の壁材などとして高い防音効果、断熱効果を得ることができる。
【００３５】
以上、本発明について説明したが、係る移動型枠は上記のような構成に限らず、図８のようにホッパ部５の一部分を振動枠８としてもよい。又、図９のように成型部２の前端部分を振動枠８としてもよい。尚、図８、図９において、振動枠８とされる部分は該振動枠の開口縁に沿って上記と同様に振動絶材部材４が設けられ、その振動絶縁部材４により他の部分に振動が伝播することが防止される。
【図面の簡単な説明】
【００３６】
【図１】本発明に係る移動型枠を示す斜視概略図
【図２】同移動型枠の側面図
【図３】図２におけるＸ−Ｘ断面図
【図４】振動枠の内部形状を示す平面図
【図５】振動枠内の変形例を示す平面図
【図６】移動型枠の使用態様（コンクリート構造物の構築工法）を示す説明図
【図７】移動型枠の使用態様（コンクリート製品の製造方法）を示す説明図
【図８】本発明に係る移動型枠の変更例を示す側面概略図
【図９】本発明に係る移動型枠の変更例を示す側面概略図
【符号の説明】
【００３７】
１  型本体
２  成型部
２Ａ  側板
２Ｂ  天板
３  受枠部
５  ホッパ部
７  バイブレータ（起振手段）
８  振動枠
９  仕切部材
１０  振動枠内の区分領域
１２  敷板
ｆ  床面部
【図１】
2006233698.tif 000003
【図２】
2006233698.tif 000004
【図３】
2006233698.tif 000005
【図４】
2006233698.tif 000006
【図５】
2006233698.tif 000007
【図６】
2006233698.tif 000008
【図７】
2006233698.tif 000009
【図８】
2006233698.tif 000010
【図９】
2006233698.tif 000011